(57)【要約】【課題】  マイクロホンの前方に設置することで、ポップ雑音を低減することができるマイクロホンアクセサリーに関する。【解決手段】  破裂音によって生じる急激な気流がマイクロホンに直接当たることを防止するために、マイクロホン前面に設置するマイクロホンアクセサリーであって、上記気流によって変位する前面フィルター、上記気流によって変位しない後面フィルター、上記前面フィルターと上記後面フィルターを固定する枠によって構成されている。【選択図】図１
2008048309.tif 000002
【特許請求の範囲】
【請求項１】
破裂音によって生じる急激な気流がマイクロホンに直接当たることを防止するマイクロホンアクセサリーであって、
上記気流によって変位する前面フィルター、
上記気流によって変位しない後面フィルター、
上記前面フィルターと上記後面フィルターを固定する枠、
によって構成されていることを特徴とするマイクロホンアクセサリー。
【請求項２】
上記枠は円筒形であって、枠の円周面には、内部で生じた気流を外部に排出する孔が設けられていることを特徴とする請求項１記載のマイクロホンアクセサリー。
【請求項３】
上記前面フィルターは、繊維をメッシュ状に織ったものであることを特徴とする請求項１、２に記載のマイクロホンアクセサリー
【請求項４】
上記後面フィルターは、上記前面フィルターに用いる繊維よりも線径が太く、ステンレスをメッシュ状に織ったものであることを特徴とする請求項１、２に記載のマイクロホンアクセサリー
【発明の詳細な説明】
【技術分野】
【０００１】
本発明は、マイクロホンの前方に設置することで、ポップ雑音を低減することができるマイクロホンアクセサリーに関するものである。
【背景技術】
【０００２】
破裂音などによって生じる急激な気流が、マイクロホンに直接当たるとポップ雑音が生じる。録音スタジオなどで音声を収音する際に、このポップ雑音が問題になるため、マクロホンの前方に弾力のある繊維によってなるメッシュをリング状の枠に取付けた「ポップフィルター」と呼ばれるマイクロホンアクセサリーを設置し、ポップ雑音の発生を防止している。
【０００３】
従来のポップフィルターの例を図３に示す。図３においてポップフィルター２０は、図に向かって左側で生じた破裂音による気流が前面にあたって変位し、この変位によって生じる内部の圧力変化によって後面も変位する。このようにポップフィルター２０が変位することで気流のエネルギーが分散され、マイク５には、急激な気流が当たらないようになる。ポップ雑音をより小さくするためには、ポップフィルター２０に用いる繊維の密度を高めるか、ポップフィルター２０とマイクロホン５との間隔を大きくとって、急激な気流がマイクロホン５に加わりにくくする方法が一般的である。
【０００４】
また、メッシュ状の繊維を用いるもの以外にもエキスパンドメタルを用いたフィルターが知られている。図４はエキスパンドメタルを用いたフィルター３０の断面と、設置例を示す図である。図３と同様に図に向かって左方向にて生じた破裂音による気流は、フィルター３０の編み目形状の金属に当たって方向が変わる。このため、マイクロホン５に直接、急激な気流が当たることを防ぐことができる。
【０００５】
また、無指向性マイクロホンユニットの前面にフィルターを装着して、マイクロホンユニット前面の音孔から流れ込んだ空気を前気室に設けた別の音孔から外部に逃がすようにして、破裂音による音の乱れを防ぐとともに、マイクロホンユニットに伝わる音の音質を改善して、ポップ雑音を低減する発明が知られている（例えば、特許文献１参照）
【０００６】
【特許文献１】特開平０７―２１２８８８号公報
【発明の開示】
【発明が解決しようとする課題】
【０００７】
上記の従来技術のうち、「ポップフィルター」を用いる場合、メッシュを構成する繊維の密度を高くすると音響抵抗値が高くなり周波数応答が劣化する。また、マイクロホンとポップフィルターの間隔を大きくすると、音源とマイクロホンとの距離が離れることになるため、近接効果を利用した録音ができない等の制限が生じる。
【０００８】
また、エキスパンドメタルを用いたフィルターは、素材が金属であるために付帯音が発生しやすいため、一般的に用いることは少ない。
【０００９】
特許文献１記載の発明では、上記特徴的な構造をマイクロホンユニットにて形成する必要があるため、汎用的なマイクロホンでこの発明を用いることはできない。従って、汎用的なマイクロホンにおいて、破裂音による音質劣化を防ぐためには、前述のような難点があることを承知の上で、従来のポップフィルターなどによって破裂音を防止することになる。
【００１０】
本発明は、上記課題を鑑みてなされたもので、マイクロホンの前方に設置して用いるフィルターの前面側には気流で変位するフィルターを用い、後面側には気流で変位せず、かつ、当たった気流が外部に流れるような形状であるフィルターを用いて、破裂音の発声などによる急激な気流が、マイクロホンに伝わらないようにするマイクロホンアクセサリーを提供することを目的とする。
【課題を解決するための手段】
【００１１】
本発明は、破裂音によって生じる急激な気流がマイクロホンに直接当たることを防止するために、マイクロホン前面に設置するマイクロホンアクセサリーであって、上記気流によって変位する前面フィルター、上記気流によって変位しない後面フィルター、上記前面フィルターと上記後面フィルターを固定する枠、によって構成されていることを最も主要な特徴とする。
【００１２】
また、本発明は、上記マイクロホンアクセサリーにおいて、上記枠の円周面には、内部で生じた気流を外部に排出する孔が設けられていることを特徴とする
【発明の効果】
【００１３】
本発明によれば、フィルターの密度を高めることなく、軽易な構成でポップ雑音を軽減することができるので、マイクロホンの周波数応答、音質の劣化が生じることがない。
【発明を実施するための最良の形態】
【００１４】
以下、本発明にかかるマイクロホンアクセサリーの実施形態について、図を用いて説明する。図１は本発明に係るマイクロホンアクセサリーであるフィルターの実施例を示す斜視図である。図１（ａ）はフィルターの前面（音源側）から見た斜視図、図１（ｂ）はフィルターの後面（マイク側）から見た斜視図である。図１において、フィルター１０は円形の枠３に、繊維材料からなるメッシュであって、音源が発する破裂音による急激な気流で変形する前面フィルター１を前面側に取付け、また、前面フィルター１に用いる素材よりも気流による変形が無い素材からなるメッシュであって、略円錐形に加工した後面フィルター２を後面に取付けている。また、枠３の外周には、フィルター１０内部で生じた圧力変化による気流を排出するために、複数の排出孔４が設けられている。
【００１５】
図２を用いて、フィルター１０の動作を説明する。図２に向かって左側に音源が存在し、その音源から発声した破裂音がマイク５に直接当たることを防ぐ位置にフィルター１０を設置する（図２（ａ））。破裂音が前面フィルター１に当たると、前面フィルター１は枠３によって固定されているため中央部分が変位する（図２（ｂ））。この前面フィルター２の変位によって、後部フィルター２に向かう気流が発生するが、後部フィルター２は前面フィルター１側に頂点を向けている略円錐形をしており、その材質は、音は通過させるが気流によって変位することが無い硬質な材質を用いているので、上記の気流によって、後部フィルター２が変位してマイク５側に気流を発生することはなく、後部フィルター２に当たった気流は、後部フィルター２の傾斜に沿って、フィルター１０の外部方向に向かうことになる。
【００１６】
上記気流は枠３の円周に設けられた排出孔４から外部に流れ出るので、マイク５に対して急激な気流が当たることはない。
【００１７】
前側フィルター１の素材は、ナイロンであって線径が８０ミクロンの平織りメッシュが好適である。また後側フィルター２の素材は、線径が０．１ｍｍのステンレスメッシュを円錐状に加工したものが好適である。
【００１８】
上記のようにフィルター１０を用いることによって、マイク５に急激な気流が直接あたることを防止することができるので、ポップ雑音の発生を防ぐことができる。
また、メッシュに用いる繊維の密度を上げることなく、効果的にポップ雑音を防止することができる。
【図面の簡単な説明】
【００１９】
【図１】本発明に係るマイクロホンアクセサリーの構造の例を示す斜視図である。
【図２】本発明に係るマイクロホンアクセサリーの動作を示す説明図である。
【図３】従来の、ポップフィルターの例を示す断面図である。
【図４】従来の、エキスパンドメタルによるフィルターの例を示す断面図である。
【符号の説明】
【００２０】
１  前面フィルター
２  後面フィルター
３  枠
４  排出孔
１０  フィルターマイク
【図１】
2008048309.tif 000003
【図２】
2008048309.tif 000004
【図３】
2008048309.tif 000005
【図４】
2008048309.tif 000006